(57)【要約】【課題】水槽の観覧面に生じる結露を有効に防止し得ると共にエネルギーの削減に優れた水槽を提供する。【解決手段】水槽１の観覧面を二重アクリル板２２で構成する。また、水槽１の両側面と背面は断熱材３で覆われる。さらに、二重アクリル板２２の中間部には空気層を設け、この空気層内部には、空気循環装置４から送出される乾燥空気を給気管５を介して供給し、乾燥空気流７として示すように対流させる。【選択図】図７
0003127592.tif 000002
【実用新案登録請求の範囲】
【請求項１】
水生動物を飼育し観覧するための水槽であって、
前記水槽の観覧面が、中間に空気層が形成させる二重のアクリル板又はガラス板により構成されていることを特徴とする水槽。
【請求項２】
前記観覧用前面以外の面の全て又は一部が断熱材で覆われていることを特徴とする請求項１に記載の水槽。
【請求項３】
前記断熱材は、発泡スチロール又は発泡ウレタンで形成されていることを特徴とする請求項２に記載の水槽。
【請求項４】
前記二重のアクリル板又はガラス板の間の前記空気層内に空気を循環的に供給する空気循環装置を備えたことを特徴とする請求項１に記載の水槽。
【請求項５】
前記空気循環装置には乾燥剤が着脱可能に内蔵され、前記空気層内に循環供給される空気は乾燥空気であることを特徴とする請求項４に記載の水槽。
【考案の詳細な説明】
【技術分野】
【０００１】
本考案は、海水または淡水の魚介類を含む水生動物を飼育しつつ観覧するための水槽に関し、特に寒冷水生動物を観覧するための水槽に関する。
【背景技術】
【０００２】
従来、魚介類を含む水生動物を飼育し又は観覧するための水槽は、一般家庭や水族館のみならず、生きた魚介類を取り扱う鮮魚店や料理店等においても設置されている。
【０００３】
このような水槽の多くは、水槽内にて飼育する水生動物を観覧可能にするために、少なくともその観覧面には透明なガラス又はアクリル樹脂が使用される。
【０００４】
ところで、水槽内において飼育する魚等の水生動物が寒冷の海水や淡水に棲む水生動物であった場合には、当然のことながら当該水生動物に適する温度の水（低温水）を入れる必要がある。例えば、北海道周辺の海域に棲む魚介類や甲殻類等の水生動物の水温は、多くの場合１０℃以下としなければならない。このため、このような水槽においては、水槽内の水を濾過する際に冷却して水槽内に戻すようにして水温を一定の温度に維持する。
【０００５】
一方、このような水槽を設置する屋内の気温は、人間に適する２０乃至３０℃程度であることから、このような気温の室内環境に、例えば１０℃以下の低温水を入れると、水槽面に接する空気が冷やされることにより水槽面に結露が生じてしまい、付着するくもりや水滴により、水槽内部の水生動物を鑑賞することが困難になることになる。
【０００６】
このため、従来においては、環境室内を低湿度に除湿し頻繁に水槽表面をタオル等により拭き取ったりする必要があった。しかし、水槽表面に付着したくもりや水滴を拭き取っても極めて短時間に再付着してしまう。このため、必要以上に分厚いアクリル板を使用したり、水族館等に設置される大型の水槽においては、水槽の観覧面に空気を噴出するエアーカーテンを設置する必要があった。
【考案の開示】
【考案が解決しようとする課題】
【０００７】
しかしながら、このような従来技術による露結防止対策では、水槽の観覧面に付着する結露を完全に防止できないばかりか、水槽の製造コストや、水槽の維持運営コストが高いという問題点があった。
【０００８】
即ち、アクリル樹脂の厚みを水槽内の水圧に耐えられる厚みよりも厚くする場合、水槽の製造コストが増大してしまう。また、エアーカーテン対策を施す場合、結露防止と水の冷却のための電気使用量等の維持管理コストを増大させてしまうこととなる。
【０００９】
本考案は、上記従来の問題点に鑑みてなされたものであって、水槽の観覧面に生じる結露を有効に防止し得ると共にエネルギーの削減に優れた水槽を提供することを目的としている。
【課題を解決するための手段】
【００１０】
上記課題を解決するために、本考案は、水生動物を飼育し観覧するための水槽であって、前記水槽の観覧面が、中間に空気層が形成させる二重のアクリル板又はガラス板により構成されていることを特徴とする水槽を提供するものである。これにより、二重アクリル板又はガラス板間の空気層が、水槽内部の低温水と環境室温のバッファを形成するので、水槽の観覧面が露結しにくくなるのである。
【００１１】
また、本考案に係る水槽においては、水槽内の水を循環冷却するためのエネルギーを節約するべく、前記観賞用前面以外の面の全て又は一部を断熱材で覆うようにしている。ここで、前記断熱材は、例えば、発泡スチロール又は発泡ウレタンで形成されている。
【００１２】
さらに、本考案に係る水槽の観覧面における結露を徹底的に排除するために、本水槽は、前記二重のアクリル板間の空気層内に空気を循環的に供給する空気循環装置を備える。ここで、前記空気循環装置には乾燥剤が着脱可能に内蔵され、前記空気層内に循環供給される空気を乾燥空気とするのである。そして、この乾燥剤はシリカゲルを使用する。
【考案の効果】
【００１３】
以上説明したように、本考案の水槽によれば、観覧面を構成するアクリル板を二重のアクリル板又はガラス板とすると共に、このような二重板内部に空気層を設けることで、その熱伝導度を低減させているので、水槽内の低温が観覧面表面にまで達することが抑止され、室内の水分が水槽の観覧面表面において結露となる現象を防止することができる。
【００１４】
また、水槽の側壁と背面は断熱材で囲われるので、環境室温によって水槽内の低温水を温める事態を防止できる。
【００１５】
さらに、二重アクリル板の空気層には乾燥した空気を対流させているので、高温の室温と低温の水槽との間が停滞した空気層を仲立ちとして熱伝導してしまう現象を防止することができるので、室内の水分が水槽の観覧面表面において結露となる現象を一層効果的に防止することができるのである。
【考案を実施するための最良の形態】
【００１６】
以下、本考案の水槽の実施形態について、図面を参照しつつ説明する。
【００１７】
〔第１の実施形態〕
図１は、本考案の第１の実施形態に係る水槽の全体構成を示す外観図である。図１において、本実施形態の水槽１は、水槽１の両側面及び背面を構成する水槽側壁２１と、水槽１の前面を構成する二重のアクリル板又はガラス板の中間層に空気を閉じ込めて成る二重アクリル板又は二重ガラス板２２（以下、これらを代表して「二重アクリル板」という）と、を備える。
【００１８】
二重アクリル板２２を構成する素材は、透明なアクリル樹脂であるが、その他の透明なプラスチックも使用可能である。二重アクリル板２２の中間層は空気が閉じ込められて熱の伝導度が低くなるように構成されており、この構造によって二重アクリル板２２の表面における結露を防止している。
【００１９】
水槽１の底面を構成する素材は、アクリル板やガラス板のほかに、岩石を惹き詰めたコンクリート等であってもよい。
【００２０】
水槽１の上面には、その全面または一部に、淡水または海水を注入するための開口部が設けられている。また、水槽１の背面には、前記注入された淡水または海水を循環させるための管口部を設置することが可能である。
【００２１】
この水槽１の内部には、例えば北海道近海に棲息する魚類、貝類又は甲殻類を飼育する場合、水温６℃程度の淡水または海水が入れられる。
【００２２】
図２は、本考案の第１の実施形態に係る水槽の正面構造を示す正面図である。図２では、水槽側壁２１と共に水槽１の底面が示されている。少なくとも有効観覧面２０は、前述の二重アクリル板２２で構成されているものとする。
【００２３】
図３は、本考案の第１の実施形態に係る水槽の平面構造を示す平面図である。図３は、平面図であるから、水槽１を上から見下ろした様子が示されており、水槽側壁２１と共に、二重アクリル板２２の詳細構成が示されている。図３に示すように、二重アクリル板２２は、観覧者側に面する外側アクリル板３１と、閉じ込められた空気層３２と、水圧に耐える内側アクリル板３３と、を備えて構成される。
【００２４】
この実施形態では、空気層は空気層３２だけの１層としているが、一般に、本考案では、多重アクリル板を使用して空気層を複数とすることが可能である。
【００２５】
この実施形態の水槽によれば、水槽１の観覧面を構成するアクリル板を二重のアクリル板（二重アクリル板２２）とすると共に、この二重アクリル板２２の内部に空気層を設けることで、その熱伝導度が低くなり、水槽内の低温が観覧面表面にまで達することが抑止され、室内の水分が水槽の観覧面表面において結露となる現象を防止することができる効果がある。
【００２６】
〔第２の実施形態〕
図４は、本考案の第２の実施形態に係る水槽の全体構成を示す外観図である。
図５は、本考案の第２の実施形態に係る水槽の正面構造を示す正面図である。
図６は、本考案の第２の実施形態に係る水槽の平面構造を示す平面図である。
【００２７】
本考案の第２の実施形態に係る水槽（水槽１１）は、本考案の第１の実施形態に係る水槽（水槽１）の両側面と背面が断熱材３で覆われている構成を有する。
【００２８】
断熱材３を構成する素材は、例えば、発泡スチロール又は発泡ウレタンとする。この実施形態の水槽によれば、水槽１１の側壁と背面とが断熱材３で囲われるので、高温の室温が低温の水槽内に拡散することによる水槽内温度の上昇が防止されると共に、室内温度が水槽内の低温で消費されてしまうことを防止できる効果がある。
【００２９】
〔第３の実施形態〕
図７は、本考案の第３の実施形態に係る水槽の全体構成を示す外観図である。
図８は、本考案の第３の実施形態に係る水槽の本体部の正面構造を示す正面図である。
図９は、本考案の第３の実施形態に係る水槽の本体部の平面構造を示す平面図である。
【００３０】
本考案の第３の実施形態に係る水槽（水槽１２）は、本考案の第１の実施形態に係る水槽（水槽１）または本考案の第２の実施形態に係る水槽（水槽１１）の二重アクリル板２２に、乾燥空気流７を対流させるための給気口６と排気口８とを設置すると共に、給気口６と排気口８との間に、給気管５、空気循環装置４、及び排気管９を設置して構成される。
【００３１】
なお、図９では、本考案の第２の実施形態に係る水槽（水槽１１）の二重アクリル板２２に、乾燥空気流７を対流させるための給気口６と排気口８とを設置した構成を示している。給気管５は空気循環装置４から供給される乾燥空気を給気管５を介して給気口６に送り込む。また、排気管９は、排気口８から排出される空気を排気管９を介して空気循環装置４に送り込む。
【００３２】
そして、給気口６の開口部からは空気層３２に対して乾燥空気が供給され、排気口８の開口部からは二重アクリル板２２を通過した乾燥空気が排出される。よって、給気口６及び排気口８の水槽１２本体部への取り付けは、このような乾燥空気の供給と排出が可能となるように取り付けられる。
【００３３】
この実施形態では、給気口６は二重アクリル板２２の右上端部に設置され、排気口８は二重アクリル板２２の左下端部に設置されているが、本考案では、必ずしも前記設置箇所に限定されるものではなく、例えば、給気口６を二重アクリル板２２の左上端部に設置し、排気口８を二重アクリル板２２の右下端部に設置する構成としてもよい。また、給気口６及び排気口８を複数とすることや、給気口６及び排気口８の開口部形状を矩形や楕円にすることも可能である。
【００３４】
図１０は、本考案の第３の実施形態に係る水槽の空気循環装置４の詳細構成を示す構成図であり、図１０（ａ）は空気循環装置４の平面図を示し、図１０（ｂ）は空気循環装置４の側面断面図を示す。
【００３５】
図１０（ａ）に示すように、空気循環装置４は、乾燥空気を送り出すための送風口４１と、空気中の汚れが除去されて生じる汚れ成分を排除するための掃除口４２と、水槽本体部から還流されて来た空気を吸い込むための吸気口４３と、を備える。
【００３６】
また、図１０（ｂ）に示すように、空気循環装置４は、送風口４１を装着するためのソケット４４と、乾燥空気を循環させるための送風ファン４５と、吸気口４３から吸入された空気を乾燥させるための乾燥剤４６と、を備える。
【００３７】
この空気循環装置４の本体部は、送風口４１を上部とし、吸気口４３を下部として、床面等に据え置くことができる構造にすることが好ましい。
【００３８】
乾燥剤４６としては、例えば、シリカゲルを使用することができる。なお、乾燥剤４６は着脱可能であり、再生後に繰り返して使用することができる。
【００３９】
吸気口４３から吸入された空気は、送風ファン４５の作用により、上部に送り込まれ、乾燥剤４６を通過することによって空気中の水分が除去されて乾燥空気となり、送風口４１から送出される。
【００４０】
この実施形態の水槽によれば、水槽１２前面の二重アクリル板２２の空気層には空気循環装置４から供給される乾燥した空気を対流させているので、高温の室温と低温の水槽との間が停滞した空気層を仲立ちとして熱伝導してしまう現象を防止することができて、室内の水分が水槽の観覧面表面において結露となる現象を一層効果的に防止することができる効果がある。
【産業上の利用可能性】
【００４１】
本考案は、海水または淡水の魚介類を含む水生動物を飼育しつつ観覧するための水槽に関し、特に寒冷水生動物を観覧するための水槽において、鑑賞を妨げる結露を防止すると共に、省エネルギーに優れた水槽に関するものであり、産業上の利用可能性を有する。
【図面の簡単な説明】
【００４２】
【図１】本考案の第１の実施形態に係る水槽の全体構成を示す外観図である。
【図２】本考案の第１の実施形態に係る水槽の正面構造を示す正面図である。
【図３】本考案の第１の実施形態に係る水槽の平面構造を示す平面図である。
【図４】本考案の第２の実施形態に係る水槽の全体構成を示す外観図である。
【図５】本考案の第２の実施形態に係る水槽の正面構造を示す正面図である。
【図６】本考案の第２の実施形態に係る水槽の平面構造を示す平面図である。
【図７】本考案の第３の実施形態に係る水槽の全体構成を示す外観図である。
【図８】本考案の第３の実施形態に係る水槽の本体部の正面構造を示す正面図である。
【図９】本考案の第３の実施形態に係る水槽の本体部の平面構造を示す平面図である。
【図１０】本考案の第３の実施形態に係る水槽の空気循環装置４の例あって、図１０（ａ）は、空気循環装置４の平面図を示し、図１０（ｂ）は、空気循環装置４の側面断面図を示す。
【符号の説明】
【００４３】
１，１１，１２  水槽
３  断熱材
４  空気循環装置
５  給気管
６  給気口
７  乾燥空気流
８  排気口
９  排気管
２０  有効観覧面
２１  水槽側壁
２２  二重アクリル板（二重ガラス板）
２３  水槽底部
３１  外側アクリル板
３２  空気層
３３  内側アクリル板
４１  送風口
４２  掃除口
４３  吸気口
４４  ソケット
４５  送風ファン
４６  乾燥剤（シリカゲル）
【図１】
0003127592.tif 000003
【図２】
0003127592.tif 000004
【図３】
0003127592.tif 000005
【図４】
0003127592.tif 000006
【図５】
0003127592.tif 000007
【図６】
0003127592.tif 000008
【図７】
0003127592.tif 000009
【図８】
0003127592.tif 000010
【図９】
0003127592.tif 000011
【図１０】
0003127592.tif 000012